(57)【要約】      （修正有）【課題】３つ以上の形態で使用可能な利便性の高い多機能バッグを提供する。【解決手段】多機能バッグは、矩形平面状に成形された本体シート１２と；帯状に成形され、本体シート上縁部から延びる複数の持ち手１４、１６、１８と；本体シートの左右方向に対向する２つの側縁部に取り付けられた複数の留め具２０ａ、２０ｂ、２２ａ、２２ｂと；本体シートを上下方向に二つ折りにしたときに、同一側の側縁部を接合するファスナー２４と；を備える。本体シートを最大に広げて、敷物として利用可能な第１の形態と、本体シートを左右方向に二つ折りにし、ファスナーを閉じることで、単一の大きな収納領域を有するバッグとなる第２の形態と、更に、上下方向に二つ折りにして、左右縁部の留め具同士を連結することで、２つの収納領域を有するバッグとなる第３の形態に変形可能である。【選択図】図１
0003229940.tif 000002
【実用新案登録請求の範囲】
【請求項１】
矩形平面状に成形された本体シートと；
帯状に成形され、前記本体シートの第１の方向（上下方向）における縁部から延びる複数の持ち手と；
前記本体シートの前記第１の方向と直交する第２の方向（左右方向）において対向する２つの側縁部に取り付けられた複数の留め具と；
前記本体シートを前記第１の方向に二つ折りにしたときに、同一側の前記側縁部を接合するためのファスナーと；を備え、
前記本体シートを最大に広げて、レジャーシート等の敷物として利用可能な第１の形態と、
前記第１の形態から前記本体シートを前記第１の方向に二つ折りにし、前記ファスナーを閉じることで、単一の大きな収納領域を有するバッグとなる第２の形態と、
前記第２の形態から、更に、前記第２の方向に二つ折りにして、左右縁部の前記留め具同士を連結することで、２つの収納領域を有するバッグとなる第３の形態と、を有することを特徴とする多機能バッグ。
【請求項２】
前記第２の形態において、前記複数の留め具の１番下側を、その上側に位置する他の留め具に対して選択的に連結することによって、前記バッグのマチの幅を変更可能であることを特徴とする請求項１に記載の多機能バッグ。
【請求項３】
前記留め具は、スナップ式の留め具であることを特徴とする請求項１又は２に記載の多機能バッグ。
【請求項４】
前記複数の持ち手の少なくとも１つには、着脱可能な連結具によって環状の状態と、環状が解けた状態に変更可能であることを特徴とする請求項１、２又は３に記載の多機能バッグ。
【請求項５】
前記複数の持ち手の少なくとも１つは、前記本体シートの上下方向全域に渡って延び、当該本体シートに固定されていることを特徴とする請求項１乃至４の何れか１項に記載の多機能バッグ。
【考案の詳細な説明】
【技術分野】
【０００１】
本考案は、複数の形態で使用可能な多機能バッグに関する。
【背景技術】
【０００２】
薄手の生地で作られたバッグを展開してレジャーシートと使用する等、複数の用途（形態）で使用可能な多機能バッグが知られている。
【０００３】
しかしながら、従来の多機能バッグでは、用途（使用形態）が２つ程度に限られており、大きさ（面積）の割には、利便性が良くなかった。
【考案の概要】
【考案が解決しようとする課題】
【０００４】
本考案は、上記のような状況に鑑みてなされたものであり、３つ以上の形態で使用可能な利便性の高い多機能バッグを提供することを目的とする。
【課題を解決するための手段】
【０００５】
上記目的を達成するために、本考案に係る多機能バッグは、矩形平面状に成形された本体シートと；帯状に成形され、前記本体シート上縁部から延びる複数の持ち手と；前記本体シートの第１の方向（左右方向）において対向する２つの側縁部に取り付けられた複数の留め具と；前記本体シートを前記第１の方向と直交する第２の方向（上下方向）に二つ折りにしたときに、同一側の前記側縁部を接合するためのファスナーと；を備える。そして、前記本体シートを最大に広げて、レジャーシート等の敷物として利用可能な第１の形態と、前記第１の形態から前記本体シートを前記第１の方向に二つ折りにし、前記ファスナーを閉じることで、単一の大きな収納領域を有するバッグとなる第２の形態と、前記第２の形態から、更に、前記第２の方向に二つ折りにして、左右縁部の前記留め具同士を連結することで、２つの収納領域を有するバッグとなる第３の形態と、を有するように構成されている。
【０００６】
前記第２の形態において、前記複数の留め具の１番下側を、その上側に位置する他の留め具に対して選択的に連結することによって、前記バッグのマチの幅を変更可能とすることができる。
【０００７】
前記留め具は、スナップ式の留め具とすることができる。
【０００８】
前記複数の持ち手の少なくとも１つには、着脱可能な連結具によって環状の状態と、環状が解けた状態に変更可能とすることができる。
【０００９】
前記複数の持ち手の少なくとも１つは、前記本体シートの上下方向全域に渡って延び、当該本体シートに固定することができる。
【００１０】
本考案によれば、簡素な構造でありながら全く異なる３つ以上の形態で使用可能なバッグを提供することができる。
【図面の簡単な説明】
【００１１】
【図１】図１は、本考案の実施例に係る多機能バッグの構造を示す平面図であり、レジャーシート等の敷物として使用可能な第１の形態を示す。
【図２】図２は、本考案の実施例に係る多機能バッグの構造を示す平面図であり、大き目のトートバッグ（ショッピングバッグ）として使用可能な第２の使用形態を示す。
【図３】図３は図２と実質的に同一であるが、第２の使用形態のアレンジの仕方を説明するために使用される平面図である。
【図４】図４は、図３に示す第２の使用形態を更にアレンジした状態を示す平面図（Ａ）、拡大側面図（Ｂ）である。
【図５】図５は、本考案の実施例に係る多機能バッグの構造を示す平面図（Ａ）及び側面図（Ｂ）であり、２室のトートバッグとして使用可能な第３の使用形態を示す。
【考案を実施するための最良の形態】
【００１２】
図１は、本考案の実施例に係る多機能バッグの構造を示す平面図であり、レジャーシート等の敷物として使用可能な第１の形態を示す。図２は、本考案の実施例に係る多機能バッグの構造を示す平面図であり、大き目のトートバッグ（ショッピングバッグ）として使用可能な第２の使用形態を示す。
【００１３】
本考案に係る多機能バッグ１０は、矩形平面状に成形された本体シート１２と；帯状に成形され、本体シート１０の第１の方向（上下）の縁部から延びる複数の持ち手１４，１６，１８と；本体シート１０の第１の方向と直交する第２の方向（左右方向）において対向する２つの側縁部に取り付けられた複数の留め具（２０ａ，２０ｂ，２２ａ，２２ｂ）と；本体シート１０を第１の方向に二つ折りにしたときに、同一側の側縁部を接合するためのファスナー２４（図３参照）とを備えている。
【００１４】
留め具（２０ａ，２０ｂ，２２ａ，２２ｂ）は、スナップ式の留め具であり、留め具２０ａ、２２ａがメス形状、２０ｂ、２２ｂがオス形状となっている。
【００１５】
持ち手１４と１６とを連結する中間部分１５は、本体シート１０の上下方向全体にわたって縫製によって固定され、バッグとしての強度を高めている。
【００１６】
持ち手１６，１８には、着脱可能な連結具２６ａ，２６ｂ，２８ａ，２８ｂによって環状の状態（連結状態）と、環状が解けた状態（解放状態）に適宜変更可能となっている。
【００１７】
図１に示すように、本体シート１０を最大に広げて、レジャーシート等の敷物として利用可能な第１の形態とすることができる。また、持ち手１６，１８の連結具２６ａ，２６ｂ，２８ａ，２８ｂを利用して、例えば、自動車の荷室側から後席ヘッドレストに引っ掛けて、荷室の敷物として使用することができる。
【００１８】
図２に示すように、図１の第１の形態から本体シート１２を上下方向に二つ折りにし、ファスナー２４を閉じることで、単一の大きな収納領域を有するバッグとなる（第２の使用形態）。第２の使用形態においては、持ち手１４，１６を使用して当該バッグ１０を使用し、持ち手１８を内側にしまい込むことができる。比較的大きな荷物を運ぶ場合のショッピングバッグ、キャンプ用バッグ等に活用することができる。
【００１９】
図３は図２と実質的に同一であるが、図２に示す第２の形態からのアレンジの仕方を説明するために使用される平面図である。ここで言う「アレンジ」は更に他の使用形態と言うこともできる。第２の使用形態において、複数の留め具の１番下側２２ａ，２２ｂを、その上側に位置する他の留め具に対して選択的に連結することによって、バッグのマチの幅を変更可能とすることができる。
【００２０】
図４は、図２、図３に示す第２の使用形態のアレンジ状態を示す平面図（Ａ）、拡大側面図（Ｂ）である。図４に示す例では、１番下側２２ａ，２２ｂの留め具を、上から２番目の留め具２０ｂ，２０ａに連結している。
【００２１】
図５は、本考案の実施例に係る多機能バッグ１０の構造を示す平面図であり、小さめのトートバッグとして使用可能な第３の使用形態を示す。図２に示す第２の形態から、第２の方向（左右方向）に二つ折りにして、左右縁部の留め具同士を連結することで、２つの収納室３０ａ，３０ｂを有するバッグとしての第３の形態となる。この場合、持ち手１６，１８を使用し、持ち手１４はバッグの内側にしまい込むことができる。
【００２２】
以上、本考案の実施例について説明したが、本考案はこれらの実施例に何ら限定されるものではなく、実用新案登録請求の範囲に示された技術的思想の範疇において変更可能なものである。
【図１】
0003229940.tif 000003
【図２】
0003229940.tif 000004
【図３】
0003229940.tif 000005
【図４】
0003229940.tif 000006
【図５】
0003229940.tif 000007